(57)【要約】【課題】受信した画像をユーザが指定するタイミングで表示可能な画像表示装置、それを含む画像表示システム、及びその制御方法を提供する。【解決手段】画像表示装置は、ページ単位で画像を表示する表示部と、データを記憶するＲＡＭとを備え、画像データを受信したことを受けて、表示部に表示された取込ボタンを点滅表示し、取込ボタンがユーザによって操作されたことを受けて、（Ａ）表示中の空白ページに対応するＲＡＭの仮想ページに受信した画像データを記憶、（Ｂ）表示中ページの次の空白ページに対応するＲＡＭの仮想ページに受信した画像データを記憶、又は、（Ｃ）表示中ページの次に新たなページとして確保したＲＡＭの仮想ページに記憶した後、仮想ページに記憶した画像データを表示部に画像として表示する。これにより、受信した画像をユーザが指定するタイミングで表示することが可能となる。【選択図】図６
2014029474.tif 000002
【特許請求の範囲】
【請求項１】
メモリ上に構成された仮想ページ単位で画像を表示する画像表示装置であって、
画像を表示する表示手段と、
前記メモリ上に、前記仮想ページを構成する機能、及び画像データを仮想ページ単位で記憶する機能を有する仮想ページ制御手段と、
データを受信する受信手段と、
前記受信手段により受信されたデータを、前記表示手段により画像として表示する指示を受付ける入力手段とを含み、
前記仮想ページ制御手段は、
前記メモリ上に、オブジェクトを含まない仮想ページを確保する確保手段を含み、
前記入力手段が前記指示を受けたことに応じて、オブジェクトを含まない前記仮想ページに、前記受信手段により受信されたデータに基づく画像データを記憶し、
前記表示手段は、前記受信手段により受信されたデータに基づく画像データを記憶した仮想ページに書込まれた前記画像データを画像として表示することを特徴とする画像表示装置。
【請求項２】
オブジェクトを含まない仮想ページが前記確保手段により確保される前に、構成されている仮想ページが、前記表示手段により画像として表示されるオブジェクトを含むか否かを判定する判定手段をさらに含み、
前記入力手段が指示を受けたことに応じて、前記判定手段は、前記表示手段により表示中の画像に対応する仮想ページが前記オブジェクトを含むか否かを判定し、
前記仮想ページ制御手段は、前記判定手段による判定結果に応じて、
表示中の前記画像に対応する仮想ページに、前記受信手段により受信されたデータに基づく画像データを記憶する、
表示中の前記画像の次に表示される画像に対応する仮想ページに、前記受信手段により受信されたデータに基づく画像データを記憶する、又は、
表示中の前記画像の次に表示される画像に対応する領域として、前記確保手段により新たに確保した仮想ページに、前記受信手段により受信されたデータに基づく画像データを記憶する請求項１に記載の画像表示装置。
【請求項３】
前記仮想ページ制御手段は、前記判定手段により、表示中の前記画像に対応する前記仮想ページが前記オブジェクトを含まないと判定されたことを受けて、表示中の前記画像に対応する前記仮想ページに、前記受信手段により受信されたデータに基づく画像データを記憶することを特徴とする請求項２に記載の画像表示装置。
【請求項４】
前記仮想ページ制御手段は、前記判定手段により、表示中の前記画像に対応する前記仮想ページが前記オブジェクトを含むと判定され、且つ、表示中の前記画像の次の画像に対応する前記仮想ページが前記オブジェクトを含まないと判定されたことを受けて、表示中の前記画像の次の画像に対応する前記仮想ページに、前記受信手段により受信されたデータに基づく画像データを記憶することを特徴とする請求項２又は３に記載の画像表示装置。
【請求項５】
オブジェクトを含まない仮想ページが前記確保手段により確保される前に、構成されている仮想ページが、前記表示手段により画像として表示されるオブジェクトを含むか否かを判定する判定手段をさらに含み、
前記入力手段が指示を受けたことに応じて、前記判定手段は、前記表示手段により表示中の画像に対応する仮想ページが前記オブジェクトを含むか否かを判定し、
前記仮想ページ制御手段は、複数の前記仮想ページの全てに関する前記判定手段による判定結果に応じて、
前記オブジェクトを含むと判定された仮想ページに記憶されたデータのうち最後に画像として表示されるデータの次に、画像として表示されるデータを記憶した仮想ページに、前記受信手段により受信されたデータに基づく画像データを記憶する、又は、
前記オブジェクトを含むと判定された仮想ページに記憶されたデータのうち最後に画像として表示されるデータの次に、画像として表示されるデータを記憶するための領域として、前記確保手段により新たに確保した仮想ページに、前記受信手段により受信されたデータに基づく画像データを記憶することを特徴とする請求項１に記載の画像表示装置。
【請求項６】
前記受信手段により受信されたデータに、複数の画像を１ページに集約して表示するための集約条件が含まれていることを受けて、前記表示手段は、前記受信手段により受信された、複数ページの画像として前記表示手段に表示されるデータに基づく画像データを、前記集約条件にしたがって、前記表示手段に画像として表示することを特徴とする請求項１から５の何れかに記載の画像表示装置。
【請求項７】
請求項１から６の何れかに記載された画像表示装置と、
前記画像表示装置と通信可能な携帯端末装置とを含み、
前記携帯端末装置は、データを前記画像表示装置に送信することを特徴とする画像表示システム。
【請求項８】
画像を表示する表示手段と、データを記憶するメモリと、データを受信する受信手段とを備えた画像表示装置の制御方法であって、
前記メモリ上に仮想ページを構成するステップと、
前記受信手段により受信されたデータを、前記表示手段により画像として表示する指示を受付けるステップと、
前記メモリ上に、オブジェクトを含まない仮想ページを確保するステップと、
前記指示を受付けたことに応じて、オブジェクトを含まない前記仮想ページに、前記受信手段により受信されたデータに基づく画像データを記憶するステップと、
前記受信手段により受信されたデータに基づく画像データを記憶した仮想ページに書込まれた前記画像データを画像として表示するステップとを含むことを特徴とする画像表示装置の制御方法。
【発明の詳細な説明】
【技術分野】
【０００１】
本発明は、会議及びプレゼンテーション等において使用される、ページ単位で画像を表示する画像表示装置に関し、特に、受信した画像をユーザが指定するタイミングで表示することができる画像表示装置、それを含む画像表示システム、及びその制御方法に関する。
【背景技術】
【０００２】
近年、タッチ描画画像表示装置の１つである、会議等で用いられる電子黒板として、様々な構成のものが実用化されている。特に、大型の表示画面を有する画像表示装置と、タッチパネル等の２次元における位置座標を検知する入力装置とを組合せ、コンピュータシステムとして構成された電子黒板装置が利用されている。大型の電子黒板装置は、プレゼンテーション等にも使用されている。
【０００３】
一般的に、電子黒板装置は、ペン等によって指定される位置座標及び移動量の情報を逐次読取り、読取った情報を元に入力の軌跡を画像表示装置に表示する。これによって、電子黒板装置は手書き入力等の、電子黒板としての動作を実現している。
【０００４】
また、通信ネットワークに接続され、受信したファイルを表示できる電子黒板装置も知られている。例えば、下記特許文献１には、ネットワークに接続された電子黒板装置であって、アプリケーションのウィンドウ（黒板ウィンドウ）上に、会議中の相手と共有したいファイルをドラッグすると、電子黒板（黒板ウィンドウ）で表示できるファイルかどうかを判定し、表示できるファイルであれば、自動的に、そのファイル中の画像を表示し、その画像を相手装置に送信する電子黒板装置が開示されている。この電子黒板装置は、表示できないときには、相手装置に、そのファイルと、そのファイル内容を表示するアプリケーションの情報等を送信する。ファイルを受信した相手装置には、そのファイルを表示可能であれば画像が表示され、表示可能でなければそのファイルを表すアイコンが表示される。
【先行技術文献】
【特許文献】
【０００５】
【特許文献１】特開平８−５５０６７号公報
【発明の概要】
【発明が解決しようとする課題】
【０００６】
しかし、上記特許文献１に開示された技術は、当事者間（所定の装置間）のファイル共有を前提としており、一般の外部装置からファイルを転送される等、第３者からのファイル受信が想定されていない問題がある。即ち、特許文献１に開示された技術では、装置が画像を受信した場合、直ちに画像が表示される。したがって、発表者が、ネットワークに接続された表示装置を操作してプレゼンテーションしているときに、外部装置からの画像ファイルを受信した場合にも同様に直ちに画像が表示されることになり、プレゼンテーションを妨げてしまう問題がある。
【０００７】
また、上記特許文献１に開示された技術では、受信した画像は、プレゼンテーション中に描画された図形等のオブジェクトに重なって表示される問題がある。表示中のオブジェクトに重ならないように表示するには、受信した画像を表示する位置を画面上で指定する等、表示領域を確保する操作が必要であり、ユーザにとって煩雑である問題がある。
【０００８】
したがって、本発明は、受信した画像をユーザが指定するタイミングで、表示中のオブジェクトに重なることなく表示することができる画像表示装置、それを含む画像表示システム、及びその制御方法を提供することを目的とする。
【課題を解決するための手段】
【０００９】
上記の目的は、下記によって達成することができる。
【００１０】
即ち、本発明の第１の局面に係る画像表示装置は、メモリ上に構成された仮想ページ単位で画像を表示する画像表示装置である。この画像表示装置は、画像を表示する表示部と、メモリ上に、仮想ページを構成する機能、及び画像データを仮想ページ単位で記憶する機能を有する仮想ページ制御部と、データを受信する受信部と、受信部により受信されたデータを、表示部により画像として表示する指示を受付ける入力部とを含む。仮想ページ制御部は、メモリ上に、オブジェクトを含まない仮想ページを確保する確保部を含み、入力部が指示を受けたことに応じて、オブジェクトを含まない仮想ページに、受信部により受信されたデータに基づく画像データを記憶する。表示部は、受信部により受信されたデータに基づく画像データを記憶した仮想ページに書込まれた画像データを画像として表示する。
【００１１】
これによって、画像表示装置が外部からデータを受信したときに、メモリ上に空白ページとして新たに確保した仮想ページに、受信データを記憶することにより、受信データを表示中のページに重畳することなく表示することができる。また、受信データが会議及びプレゼンテーション等で本来使用される画像データに影響することを回避することができる。また、例えば、画像表示装置が外部からデータを受信したことだけを表示するように設定しておけば、会議及びプレゼンテーション等の進行が妨げられることを防止することができる。発表者は受信データを表示したいときに表示を指示して、受信データを表示することができるので、受信データを表示するための煩雑な操作が不要になる。
【００１２】
好ましくは、画像表示装置は、オブジェクトを含まない仮想ページが確保部により確保される前に、構成されている仮想ページが、表示部により画像として表示されるオブジェクトを含むか否かを判定する判定部をさらに含む。入力部が指示を受けたことに応じて、判定部は、表示部により表示中の画像に対応する仮想ページがオブジェクトを含むか否かを判定する。仮想ページ制御部は、判定部による判定結果に応じて、表示中の画像に対応する仮想ページに、受信部により受信されたデータに基づく画像データを記憶する、表示中の画像の次に表示される画像に対応する仮想ページに、受信部により受信されたデータに基づく画像データを記憶する、又は、表示中の画像の次に表示される画像に対応する領域として、確保部により新たに確保した仮想ページに、受信部により受信されたデータに基づく画像データを記憶する。
【００１３】
このように、メモリ上における空白ページに対応する仮想ページの有無を判定することにより、既存の空白ページに対応する仮想ページに、受信した画像データを記憶することができ、メモリを効率的に使用することができる。また、プレゼンテーションの進行に沿って、受信した画像データを追加することができる。
【００１４】
より好ましくは、仮想ページ制御部は、判定部により、表示中の画像に対応する仮想ページがオブジェクトを含まないと判定されたことを受けて、表示中の画像に対応する仮想ページに、受信部により受信されたデータに基づく画像データを記憶する。
【００１５】
これにより、現在空白ページが表示されていれば、ページを切換えることなく、受信データを直ちに表示することができる。
【００１６】
さらに好ましくは、仮想ページ制御部は、判定部により、表示中の画像に対応する仮想ページがオブジェクトを含むと判定され、且つ、表示中の画像の次の画像に対応する仮想ページがオブジェクトを含まないと判定されたことを受けて、表示中の画像の次の画像に対応する仮想ページに、受信部により受信されたデータに基づく画像データを記憶する。
【００１７】
これにより、現在表示されている非空白ページのデータが変更されることを回避することができる。
【００１８】
好ましくは、画像表示装置は、オブジェクトを含まない仮想ページが確保部により確保される前に、構成されている仮想ページが、表示部により画像として表示されるオブジェクトを含むか否かを判定する判定部をさらに含む。入力部が指示を受けたことに応じて、判定部は、表示部により表示中の画像に対応する仮想ページがオブジェクトを含むか否かを判定する。仮想ページ制御部は、複数の仮想ページの全てに関する判定部による判定結果に応じて、オブジェクトを含むと判定された仮想ページに記憶されたデータのうち最後に画像として表示されるデータの次に、画像として表示されるデータを記憶した仮想ページに、受信部により受信されたデータに基づく画像データを記憶する、又は、オブジェクトを含むと判定された仮想ページに記憶されたデータのうち最後に画像として表示されるデータの次に、画像として表示されるデータを記憶するための領域として、確保部により新たに確保した仮想ページに、受信部により受信されたデータに基づく画像データを記憶する。
【００１９】
このように、会議及びプレゼンテーション等で使用される全てのデータの後ろに仮想ページを追加して、受信データを記憶することにより、プレゼンテーション等の後に受信データだけを確認することが容易になる。特に、複数の画像データを受信した場合には、最後にまとめて記憶することができるので、受信データの確認がより容易になる。また、会議及びプレゼンテーション等で使用される全てのデータの後ろに空白ページがあれば、仮想ページを追加せずに、その空白ページに受信データを記憶するので、メモリを効率的に使用することができる。
【００２０】
より好ましくは、受信部により受信されたデータに、複数の画像を１ページに集約して表示するための集約条件が含まれていることを受けて、表示部は、受信部により受信された、複数ページの画像として表示部に表示されるデータに基づく画像データを、集約条件にしたがって、表示部に画像として表示する。
【００２１】
これにより、受信した画像枚数が多く、且つ、縮小表示されても問題ない場合、受信データが集約されて表示されるので、ページ操作が不要又は少なくなるので、効率的である。
【００２２】
本発明の第２の局面に係る画像表示システムは、上記の何れかの画像表示装置と、画像表示装置と通信可能な携帯端末装置とを含み、携帯端末装置は、データを画像表示装置に送信する。
【００２３】
これにより、上記の各効果と同様の効果を奏することができる。
【００２４】
本発明の第３の局面に係る制御方法は、画像を表示する表示部と、データを記憶するメモリと、データを受信する受信部とを備えた画像表示装置の制御方法である。この制御方法は、メモリ上に仮想ページを構成するステップと、受信部により受信されたデータを、表示部により画像として表示する指示を受付けるステップと、メモリ上に、オブジェクトを含まない仮想ページを確保するステップとを含む。この制御方法は、指示を受付けたことに応じて、オブジェクトを含まない仮想ページに、受信部により受信されたデータに基づく画像データを記憶するステップをも含む。この制御方法はさらに、受信部により受信されたデータに基づく画像データを記憶した仮想ページに書込まれた画像データを画像として表示するステップを含む。
【００２５】
これによって、上記と同様に、受信データを記憶させる仮想ページが満たすべき条件を適切に設定しておけば、画像表示装置が外部からデータを受信したときにメモリ上に構成されている仮想ページの状態に応じて、適切な仮想ページ（既存の仮想ページ又は追加した新たな仮想ページ）に受信データを一旦記憶した後に表示することができる。したがって、画像表示装置が外部からデータを受信したことだけを表示するように設定しておけば、会議及びプレゼンテーション等の進行が妨げられることを防止することができる。また、受信データの表示を指示するだけで、受信データが表示されるので、受信データを表示するための煩雑な操作が不要になる。
【発明の効果】
【００２６】
本発明によれば、会議又はプレゼンテーション等において、画像表示装置が外部装置からデータを受信した場合、受信したことだけを表示するようにすることができるので、会議又はプレゼンテーション等への影響を最小限に抑えることができる。そして、発表者は、プレゼンテーション又は会議等の進行状況に応じて、適宜所望のタイミングで、受信したデータを画像として表示することができる。
【００２７】
また、受信画像が表示されるときには、オブジェクトが含まれていない仮想ページ又は新たに確保された仮想ページに、受信画像データが記憶されるので、表示中のオブジェクトを含むページに重畳されることなく表示され、会議又はプレゼンテーション等で使用されている画像データに影響することがない。
【図面の簡単な説明】
【００２８】
【図１】本発明の実施の形態に係る画像表示システムの構成を示すブロック図である。
【図２】図１に示した画像表示装置の概略構成を示すブロック図である。
【図３】図１に示した画像表示装置の表示画面例を示す図である。
【図４】図１に示した端末装置の概略構成を示すブロック図である。
【図５】図１に示した画像表示装置において実行される、受信した画像を表示するためのプログラムの制御構造を示すフローチャートである。
【図６】画像表示装置への表示対象となっている一連のページ画像に対して、受信された画像が配置される位置を示す図である。
【図７】図５とは別の、画像表示装置において実行される、受信した画像を表示するためのプログラムの制御構造を示すフローチャートである。
【図８】図５及び図７とは別の、画像表示装置において実行される、受信した画像を表示するためのプログラムの制御構造を示すフローチャートである。
【図９】図５、図７及び図８とは別の、画像表示装置において実行される、受信した画像を表示するためのプログラムの制御構造を示すフローチャートである。
【図１０】図９のプログラムが実行された場合に、画像表示装置への表示対象となっている一連のページ画像に対して、受信された画像が配置される位置を示す図である。
【図１１】図９のプログラムが実行された場合に、画像表示装置への表示対象となっている一連のページ画像に対して、受信された画像が配置される位置を示す図である。
【図１２】図９のプログラムが実行された場合に、画像表示装置への表示対象となっている一連のページ画像に対して、受信された画像が配置される位置を示す図である。
【図１３】図５、図７〜図９とは別の、画像表示装置において実行される、受信した画像を表示するためのプログラムの制御構造を示すフローチャートである。
【図１４】図１３のプログラムが実行された場合に、画像表示装置への表示対象となっている一連のページ画像に対して、受信された画像が配置される位置を示す図である。
【図１５】画像表示装置への表示対象となっているページ画像に対して、受信された画像が配置される位置を示す図である。
【図１６】表示モードを設定するための画面例を示す図である。
【図１７】図５、図７〜図９、及び図１３とは別の、画像表示装置において実行される、受信した画像を表示するためのプログラムの制御構造を示すフローチャートである。
【図１８】図１７のプログラムが実行された場合に、画像表示装置に表示されるページ例を示す図である。
【図１９】ページを戻すボタンが表示された画面例を示す図である。
【図２０】図１とは別のシステム構成を示すブロック図である。
【発明を実施するための形態】
【００２９】
以下の実施の形態では、同一の部品には同一の参照番号を付してある。それらの名称及び機能も同一である。したがって、それらについての詳細な説明は繰返さない。
【００３０】
図１を参照して、本発明の実施の形態に係る画像表示システム１００は、画像表示装置２００、端末装置３００、及び無線ルータ４００を備えて構成される。画像表示装置２００及び無線ルータ４００は、有線で通信ネットワーク（以下、単にネットワークという）４１０（ＬＡＮ及びインターネットを含む）に接続されている。画像表示装置２００は、例えば、タッチ操作によって描画可能な大画面の電子黒板装置である。端末装置３００は携帯端末装置である。端末装置３００は、例えば１０インチ程度の表示画面を有するタブレット装置、又は、タブレット装置よりもサイズの小さい（数インチ程度）表示画面を有するスマートフォン等である。
【００３１】
無線ルータ４００は、ＴＣＰ／ＩＰ等の所定の通信プロトコルにしたがって、無線通信可能な機器をネットワーク４１０に接続するための装置である。端末装置３００は、無線ルータ４００を介してネットワーク４１０に接続可能である。なお、図１には示していないが、画像表示システム１００の周囲には、端末装置３００以外の無線通信可能な端末装置が存在している場合がある。
【００３２】
図２を参照して、画像表示装置２００は、画像表示装置２００全体を制御する制御部（以下、ＣＰＵという）２０２と、プログラム等を記憶するためのＲＯＭ（Ｒｅａｄ  Ｏｎｌｙ  Ｍｅｍｏｒｙ）２０４と、揮発性の記憶装置であるＲＡＭ（Ｒａｎｄｏｍ  Ａｃｃｅｓｓ  Ｍｅｍｏｒｙ）２０６と、記憶部２０８と、バス２２０とを備えている。ＲＯＭ２０４には、画像表示装置２００の動作を制御するのに必要なプログラム及びデータが記憶されている。記憶部２０８は、通電が遮断された場合にもデータを保持する不揮発性の記憶装置であり、例えば、ハードディスクドライブ、又はフラッシュメモリ等である。記憶部２０８は、所定のインターフェイス（ＵＳＢ等）を備えて着脱可能に構成されていてもよい。
【００３３】
ＣＰＵ２０２、ＲＯＭ２０４、ＲＡＭ２０６、及び記憶部２０８はバス２２０に接続されている。各部間のデータ（制御情報を含む）交換は、バス２２０を介して行なわれる。ＣＰＵ２０２は、バス２２０を介してＲＯＭ２０４からプログラムをＲＡＭ２０６上に読出して、ＲＡＭ２０６の一部を作業領域としてプログラムを実行する。即ち、ＣＰＵ２０２は、ＲＯＭ２０４に格納されているプログラムにしたがって画像表示装置２００を構成する各部の制御を行ない、画像表示装置２００の各機能を実現する。
【００３４】
ＲＡＭ２０６は、画像を表示するためのビデオメモリとしての機能を備えている。即ち、ＲＡＭ２０６の一部はＶＲＡＭ（Ｖｉｄｅｏ  Ｒａｎｄｏｍ  Ａｃｃｅｓｓ  Ｍｅｍｏｒｙ）として使用される。以下、ＶＲＡＭとして使用されるＲＡＭ２０６の領域を、ＶＲＡＭ領域という。なお、ＲＡＭ２０６とは別にＶＲＡＭを備える構成であってもよい。
【００３５】
画像表示装置２００はさらに、表示部２１０、表示制御部２１２、操作部２１４、及び通信ＩＦ部２１６を備えている。ここでは、画像表示装置２００は電子黒板装置であるとして説明する。
【００３６】
表示部２１０は、画像を表示するための表示パネル（液晶パネル等）である。表示制御部２１２は、表示部２１０を駆動するための駆動部を備え、ＲＡＭ２０６のＶＲＡＭ領域に記憶された画像データを所定のタイミングで読出し、表示部２１０に画像として表示するための信号を生成して、表示部２１０に出力する。表示される画像データは、ＣＰＵ２０２が記憶部２０８から読出して、ＲＡＭ２０６に伝送する。このようにして、ＶＲＡＭ領域に記憶されたデータは、画像として表示部２１０に表示される。
【００３７】
通信ＩＦ部２１６は、例えばＮＩＣ（Ｎｅｔｗｏｒｋ  Ｉｎｔｅｒｆａｃｅ  Ｃａｒｄ）であり、通信ケーブルでハブ（図示せず）等に接続され、これを介してネットワーク４１０に接続される。これによって、ネットワーク４１０に接続されたコンピュータ等との間で画像データを送受信する。通信ＩＦ部２１６を介して外部から受信した画像データは、記憶部２０８に記録される。
【００３８】
操作部２１４は、ユーザによる画像表示装置２００に対する指示等の入力を受付ける。電子黒板装置では、操作部２１４は、液晶パネル等で構成された表示部２１０の上に配置され、タッチされた位置を検出するためのＬＥＤ等を有するタッチ検出装置、及び操作キー部（何れも図示せず）を備えている。画像表示装置２００を操作するために、表示部２１０にはソフトウェアキー（以下ソフトキーともいう）が表示され、操作キー部にはハードウェアキー（以下ハードキーともいう）が配置される。ＣＰＵ２０２は、これらのキーに対するユーザの操作を監視する。ユーザはこれらのキーにタッチして、画像表示装置２００に対して、表示内容に対する処理の指示を入力することができる。表示部２１０に表示されたソフトキーの選択は、タッチ検出装置によってタッチされた位置を検出することによって行なわれる。
【００３９】
タッチ検出装置は、例えば公知の赤外線遮断検出方式のタッチパネルである。このタッチパネルは、長方形の書込面の隣接する２辺にそれぞれ一列に配置された発光ダイオード列（以下、ＬＥＤ列と記す）と、それぞれのＬＥＤ列に対向させて一列に配置された２つのフォトダイオード列（以下、ＰＤ列と記す）とを備えている。ＬＥＤ列の各ＬＥＤから赤外線を発光し、この赤外線を対向するＰＤ列の各ＰＤが検出する。
【００４０】
ユーザがタッチペンでタッチパネル上の１点にタッチすると、タッチペンのペン先によって赤外線が遮断される。したがって、タッチされた位置座標を求めることができる。タッチペンを使用せずに、指でタッチ検出装置にタッチしても、同様にタッチされた位置を検出することができる。
【００４１】
タッチされた位置の検出技術は公知であるので、これ以上の説明は繰返さない。また、タッチ検出装置には、赤外線遮断方式以外のタッチパネル（静電容量方式、表面弾性波方式、又は抵抗膜方式等）を用いてもよい。
【００４２】
画像表示装置２００には、図３に示すような画面が表示される。表示部２１０の表示画面は、描画領域２５０と機能ボタン領域２４０とに区分されている。描画領域２５０は、ユーザがタッチ操作によって描画できる領域である。即ち、タッチされた点及びその移動軌跡のＸＹ座標が、上記したようにタッチ検出装置によって検出され、ＣＰＵ２０２に伝送される。ＣＰＵ２０２は、受信した座標データに応じて、ＲＡＭ２０６の対応するメモリアドレスに所定値を書込む。ＲＡＭ２０６のＶＲＡＭ領域上の画像データの画素値を変更してもよいが、ここでは、ＲＡＭ２０６は、表示される画像データを記憶するＶＲＡＭ領域とは別に、描画データを記憶する領域（以下、オーバレイ領域ともいう）を備えているとする。この場合、例えば、オーバレイ領域において描画されていないメモリアドレスのデータを“０”とすると、ＣＰＵ２０２は、描画位置に対応するメモリアドレスに“１”を書込む。表示制御部２１２は、画像データ（ＶＲＡＭ領域上のデータ）と描画データ（オーバレイ領域のデータ）とをスーパーインポーズして表示部１１２に表示する。即ち、描画データが存在する点（例えばオーバレイ領域に“１”が記録されている画素）では描画データを表示（予め設定された色を表示）し、描画データが存在しない点（例えばオーバレイ領域に“０”が記録されている画素）では画像データを表示する。図３においては、描画領域２５０に表示された画像の上に、タッチペン２８０によって描画された図形２８２が表示されている。
【００４３】
描画領域２５０で描画された図形は、オブジェクトとして管理される。例えば、描画図形に外接する矩形領域の画像データがＲＡＭ２０６に記憶される。図形２８２であれば、図形２８２の周囲を含む矩形２８４内の画像データがＲＡＭ２０６の所定領域に記憶される。矩形２８４内の画像データは、例えば、オーバレイ領域内のデータであり、描画された線上の画素値が“０”以外の値（例えば“１”）であり、それ以外の画素値が“０”である画像データ（２値画像データ）である。オブジェクトには、矩形領域内の画像データに加えて、オブジェクトを特定する情報（例えば名前）、及び、矩形領域の位置情報が含まれる。矩形領域内の画像データが、縦横の画素サイズの情報を含んでいれば、位置情報は、矩形領域を代表する点の位置情報であればよい。位置情報は、例えば、描画領域２５０の左上頂点を原点、右方向をＸ軸の正方向、下方向をＹ軸の正方向として、矩形領域の左上頂点のＸＹ座標（矩形２８４に関しては（ｘ１，ｙ１））である。
【００４４】
同時に複数色の描画図形を表示するには、オーバレイ領域の各画素値を２ビット以上にし、オーバレイ領域の画素値に対応する色を特定するためのルックアップテーブルを用意すればよい。
【００４５】
オブジェクトは描画図形に限定されない。機能ボタンが操作され、記憶部２０８に記憶されていた画像ファイルから読出されてＲＡＭ２０６に書込まれ、表示部２１０に表示された画像も、オブジェクトとして管理される。読出される画像の大きさは任意であり、描画領域２５０よりも大きければ、適宜縮小されて表示される。
【００４６】
描画図形等のオブジェクトは画像データ以外の形式で記憶されてもよい。例えば、描画された線上の画素（即ち、オーバレイ領域の“０”以外の値の画素）の座標（ｘ，ｙ）を記憶してもよい。
【００４７】
後述するように、オブジェクトは、そのオブジェクトが表示されるページに対応させて記憶される。なお、本明細書において「ページ」とは、画像データから生成され、視認される状態で提示されている画像（色及び輝度の２次元パターン）を意味する。したがって、ページを特定する情報（例えばページ番号）に対応させて、オブジェクトを特定する情報が、ＲＡＭ２０６において記憶される。
【００４８】
機能ボタン領域２４０には、各々特定の機能が割当てられた複数の機能ボタン（１点鎖線領域２４２参照）が表示される。各機能ボタンに割当てられる機能は、例えば、タッチ操作による描画機能、所定領域の描画を削除する消しゴム機能、記憶部２０８に保存されているファイル（画像データ）を開く機能、表示されている画像データを記憶部２０８に保存する機能、又は、表示されている画像データを印刷する機能等である。各機能ボタンは、アイコンとして表示される。このように、各機能ボタンは、表示されている画像に対する画像処理の実行を指示するアイコンを含む。複数の機能ボタンのうちの１つである取込ボタン２４４は、ネットワーク４１０を介して受信した画像データを取込むためのボタンである。取込ボタン２４４に関する詳細は後述する。
【００４９】
描画領域２５０の下部には、ページ操作領域２６０が表示される。この領域には、ページ送りボタン２６２、ページ戻しボタン２６４、及びページ番号表示欄２６６が表示される。ページ送りボタン２６２は、タッチされると、表示されているページ（描画領域２５０に表示された画像）を右側に送り、次のページを表示するためのボタンである。ページ戻しボタン２６４は、タッチされると、表示されているページを左側に送り、前のページを表示するためのボタンである。ページ番号表示欄２６６には、表示され得る複数のページのうち、現在表示されているページの番号が表示される。ページ操作領域２６０は、位置が固定されており、スクロール中にも移動しない。例えば、ページ操作領域２６０を表示部１１２に表示するためのデータは、描画用のオーバレイ領域とは別のオーバレイ領域に記憶しておけばよい。
【００５０】
ユーザが、ページ送りボタン２６２にタッチすると、タッチされた位置の座標データがタッチ検出装置からＣＰＵ２０２に伝送され、ＣＰＵ２０２は、受信した座標データが、ページ送りボタン２６２が表示された領域内の位置であると判定する。表示対象の一連の画像データは、予め全て記憶部２０８から読出されてＲＡＭ２０６に記憶されているとすると、表示制御部２１２は、ＲＡＭ２０６上の現在表示されているページに対応する画像データと、次ページに対応する画像データとから、ページ送りの途中の画像データ（１ページ分の画像データ）を生成し、ＶＲＡＭ領域に上書きする。これによって、表示部１１２に、ページ送りされている途中の画像が表示される。
【００５１】
図４を参照して、端末装置３００は、端末装置３００全体を制御するＣＰＵ３０２と、メモリ３０４と、ＲＡＭ３０６と、バス３２０とを備えている。メモリ３０４は、電気的に書換え可能な不揮発性の記憶装置であり、例えばフラッシュメモリ等である。メモリ３０４には、端末装置３００の動作を制御するのに必要なプログラム及びデータが記憶されている。
【００５２】
ＣＰＵ３０２、メモリ３０４、及びＲＡＭ３０６はバス３２０に接続されている。各部間のデータ（制御情報を含む）交換は、バス３２０を介して行なわれる。ＣＰＵ３０２は、バス３２０を介してメモリ３０４からプログラムをＲＡＭ３０６上に読出して、ＲＡＭ３０６の一部を作業領域としてプログラムを実行する。即ち、ＣＰＵ３０２は、メモリ３０４に格納されているプログラムにしたがって端末装置３００を構成する各部の制御を行ない、端末装置３００の各機能を実現する。
【００５３】
端末装置３００はさらに、表示部３１０、表示制御部３１２、操作部３１４、及び無線ＩＦ部３１６を備えている。ここでは、端末装置３００はタブレット装置であるとして説明する。
【００５４】
表示部３１０は、画像を表示するための表示パネル（液晶パネル等）である。表示制御部３１２は、表示部３１０を駆動するための駆動部を備え、ＲＡＭ３０６に記憶された画像データを所定のタイミングで読出し、表示部３１０に画像として表示するための信号を生成して、表示部３１０に出力する。表示される画像データは、ＣＰＵ３０２がメモリ３０４から読出して、ＲＡＭ３０６に伝送する。無線ＩＦ部３１６は、無線ルータ４００との無線通信を行ない、端末装置３００をネットワーク４１０に接続可能にする。
【００５５】
操作部３１４は、ユーザによる端末装置３００に対する指示等の入力を受付ける。タブレット装置では、操作部３１４は、液晶パネル等で構成された表示部３１０の上に配置され、タッチされた位置を検出するためのタッチパネルと、操作キー部（何れも図示せず）とを備えている。端末装置３００を操作するために、表示部３１０にはソフトキーが表示され、操作キー部にはハードキーが配置される。ＣＰＵ３０２は、これらのキーに対するユーザの操作を監視する。ユーザはこれらのキーにタッチして、端末装置３００に対して指示を入力することができる。表示パネルに表示されたソフトキーの選択は、タッチパネルによってタッチされた位置を検出することによって行なわれる。
【００５６】
以下に、図５を参照して、図１の画像表示装置２００において実行される、ネットワーク４１０を介して受信した画像データを表示するプログラムの制御構造に関して説明する。特に、発表者が画像表示装置２００を用いて、一連のページ画像を順次表示してプレゼンテーションを実行中に、端末装置３００から画像データを受信したとし、本プログラムによって受信された画像データがどのように処理されるかについて説明する。
【００５７】
以下の説明では、画像表示装置２００はプレゼンテーション又は会議等を行なう場所に設置された電子黒板装置であるとする。本プログラムは、画像表示装置２００の電源がオンされて、画像の表示及びネットワーク通信等の通常の機能が可能な状態になれば、自動的に実行される。
【００５８】
発表者がプレゼンテーションを開始した時点では、画像表示装置２００は、画像データを受信していないとする。発表者がプレゼンテーションを開始した後に、端末装置３００がユーザによって操作され、画像表示装置２００宛に、画像データを添付した電子メールが送信されたとする。
【００５９】
ステップ６００において、ＣＰＵ２０２は、通信ＩＦ部２１６を制御して、ネットワーク４１０を介してデータを受信したか否かを判定する。具体的には、ＣＰＵ２０２は、電子メールを受信したか否かを判定する。受信したと判定された場合、制御はステップ６０２に移行する。そうでなければ、制御はステップ６０８に移行する。
【００６０】
ステップ６０２において、ＣＰＵ２０２は、受信した電子メールを記憶部２０８に記憶する。その後、制御はステップ６０４に移行する。
【００６１】
ステップ６０４において、ＣＰＵ２０２は、受信した電子メールにファイルが添付されており、添付ファイルが、画像表示装置２００が表示可能な画像データのファイル（以下、画像ファイルともいう）であるか否かを判定する。添付ファイルが、画像表示装置２００が表示可能な画像ファイルであると判定された場合、制御はステップ６０６に移行する。そうでなければ、即ち、ファイルが添付されていない、添付ファイルが画像ファイルでない、又は、添付ファイルが、画像表示装置２００が表示できない画像ファイルである場合、制御はステップ６０８に移行する。
【００６２】
電子メールに添付されたファイルが、画像データのファイルであるか否かは、例えば、添付ファイルの拡張子が画像データを表す拡張子であるか否かによって判定することができる。画像ファイルの拡張子は、例えば、ＢＭＰ、ＪＰＧ、ＪＩＦ、ＪＰＥＧ、ＧＩＦ、ＴＩＦ、ＴＩＦＦ、ＰＣＴ、又はＰＮＧ等である。したがって、ＣＰＵ２０２は、例えば、予め記憶部２０８に記憶された、画像表示装置２００が表示できる画像ファイルの拡張子を読出して、添付ファイルの拡張子と比較し、画像表示装置２００が表示できる画像ファイルであるか否かを判定する。
【００６３】
ステップ６０６において、ＣＰＵ２０２は、表示部２１０に表示されている取込ボタン２４４を点滅表示する。また、ＣＰＵ２０２は、ＲＡＭ２０６の所定領域に確保された所定のフラグを“１”に設定する。フラグの初期設定は、画像表示装置２００が表示可能な画像ファイルを受信していない状態を表す“０”である。フラグは、画像表示装置２００が表示可能な画像データが記憶部２０８に記憶されているか否かを表す。即ち、フラグが“１”であれば、画像表示装置２００が表示可能な画像データが記憶部２０８に記憶されており、フラグが“０”であれば記憶されていない。
【００６４】
取込ボタン２４４を点滅表示するには、例えば、同じデザインで輝度が異なる２種類の、取込ボタン２４４を表すアイコンデータを予め記憶しておき、それらのアイコンデータを所定の時間間隔で交互に、ＶＲＡＭ領域の所定位置に書込めばよい。
【００６５】
ステップ６０８において、ＣＰＵ２０２は、操作部２１４が操作されたか否かを判定する。具体的には、ＣＰＵ２０２は、タッチ検出装置により、表示部２１０に表示されたソフトキー（例えば、機能ボタン領域２４０又はページ操作領域２６０に表示されたボタン）がタッチされたか否かを判定する。操作されたと判定された場合、制御はステップ６１０に移行する。そうでなければ、制御はステップ６２８に移行する。
【００６６】
ステップ６１０において、ＣＰＵ２０２は、ステップ６０８で検出された操作が取込ボタン２４４の操作（取込ボタン２４４のタッチ）であるか否かを判定する。取込ボタン２４４の操作であると判定された場合、制御はステップ６１４に移行する。そうでなければ、制御はステップ６１２に移行する。
【００６７】
ステップ６１２において、ＣＰＵ２０２は、ステップ６０８で検出された操作に該当する処理を実行する。機能ボタン領域２４０に表示された機能ボタン（取込ボタン２４４以外のボタン）、又は、ページ操作領域２６０内のボタンがタッチされた場合、上記したように該当する処理が実行される。
【００６８】
ステップ６１４において、ＣＰＵ２０２は、記憶部２０８に記憶されたフラグの値が“１”であるか否かを判定する。フラグの値が“１”であれば、制御はステップ６１６に移行する。そうでなければ（フラグが“０”であれば）、制御はステップ６２８に移行する。
【００６９】
ステップ６２８において、ＣＰＵ２０２は、終了の指示を受けたか否かを判定する。終了の指示は、例えば、画像表示装置２００の電源がＯＦＦされることである。終了の指示を受けたと判定された場合、本プログラムは終了する。そうでなければ、制御はステップ６００に移行する。
【００７０】
以上、ステップ６００〜ステップ６１４及びステップ６２８が繰返されることにより、画像表示装置２００は、画像表示装置２００が表示可能な画像ファイルを受信するまで、発表者の操作を受け、該当する処理を実行する。画像表示装置２００は、画像表示装置２００が表示可能な画像ファイルを受信すると、取込ボタン２４４を点滅させ、取込ボタン２４４が操作されるまでは、発表者の操作を受けて該当する処理を実行する。発表者によって取込ボタン２４４が操作された場合、以下に示す処理が実行される。
【００７１】
ステップ６１６において、ＣＰＵ２０２は、表示部２１０に現在表示中のページ（描画領域２５０に表示された画像）が空白ページであるか否かを判定する。空白ページであると判定された場合、制御はステップ６２０に移行する。そうでなければ、制御はステップ６１８に移行する。
【００７２】
「空白ページ」とは、オブジェクトが含まれていないページを意味する（何らかのオブジェクトが含まれているページを、「非空白ページ」という）。したがって、ＣＰＵ２０２は、現在表示されているページを特定する情報（例えばページ番号）に対応させて、オブジェクトを特定する情報（例えばオブジェクト名）が記憶部２０８に記憶されているか否かを判定する。
【００７３】
例えば、プレゼンテーションが開始されると、ＣＰＵ２０２は、ＲＡＭ２０６上に、所定数のページ（例えば５ページ）の画像データを記憶できる領域を、ページ単位で確保する。ページ単位で確保された各領域を「仮想ページ」という。即ち、各仮想ページは、描画領域２５０に１ページとして同時に表示されるデータを含む。１つの仮想ページ内のデータは、例えば、画像のビットマップデータのような各画素を直接表すデータである。仮想ページは、描画図形等のオブジェクトを特定する情報を含むことができる。発表者によるタッチペンの操作により描画された図形は、オブジェクトとして仮想ページに記憶される。
【００７４】
確保された直後の各仮想ページは、空白ページ（オブジェクトが含まれていないページ）に対応する。例えば、仮想ページは、全ての画素値が同じ所定値（例えば、フルカラー表示可能であれば２４ビットデータの全ビットが“０”又は全ビットが“１”）である、描画領域２５０に対応する画素数のデータ領域として、最初に確保される。仮想ページに記憶されたデータは、適宜ＶＲＡＭ領域に画像データとして書込まれて、表示部２１０に表示される。
【００７５】
記憶部２０８に記憶されたデータ（画像ファイル等）を用いる場合には、ＣＰＵ２０２は、発表者によって指定されたデータを記憶部２０８から読出して、ＲＡＭ２０６に確保された５ページ分の仮想ページに書込む。記憶部２０８から読出されるデータが５ページ分よりも多ければ、指定された全てのデータを書込めるだけの仮想ページが確保される。仮想ページに画像データが書込まれた段階で、対応するページはオブジェクトを含むページ、即ち非空白ページとなる。
【００７６】
ＲＡＭ２０６上に確保される所定数の仮想ページは、必ずしも物理的に連続する領域として確保される必要はない。連続する領域として確保されない場合、各仮想ページが、ページ送りボタン２６２が操作されたときに表示部２１０に表示される順序を特定する情報を、ＲＡＭ２０６の所定領域に記憶しておけばよい。ＣＰＵ２０２は、この順序を特定する情報を参照して、発表者の操作を受けて表示すべき仮想ページを決定することができる。
【００７７】
なお、以下において、ページに対する処理が記載されるが、それらの記載は具体的には、ＲＡＭ２０６上に確保された仮想ページに記憶されたデータに対する処理を意味する。例えば、「画像をページに貼付ける」という記載は、該当するＲＡＭ２０６上の仮想ページに、画像データを書込むことを意味する。
【００７８】
ステップ６１８において、ＣＰＵ２０２は、表示されているページの次のページが空白ページであるか否かを判定する。次のページが空白ページであると判定された場合、制御はステップ６２２に移行する。そうでなければ、制御はステップ６２４に移行する。
【００７９】
ステップ６２０において、ＣＰＵ２０２は、表示されているページに、受信した画像データを貼付ける。具体的には、ＣＰＵ２０２は、受信した画像データを記憶部２０８から読出して、表示中のページに対応するＲＡＭ２０６上の仮想ページに書込む。その後、制御はステップ６２６に移行する。
【００８０】
ステップ６２２において、ＣＰＵ２０２は、表示されているページの次のページに、受信した画像データを貼付ける。具体的には、ＣＰＵ２０２は、受信した画像データを記憶部２０８から読出して、表示中のページの次のページに対応するＲＡＭ２０６上の仮想ページに書込む。その後、制御はステップ６２６に移行する。
【００８１】
ステップ６２４において、ＣＰＵ２０２は、表示されているページの次に新たなページを追加して、そのページに、受信した画像データを貼付ける。具体的には、ＣＰＵ２０２は、ＲＡＭ２０６上に、表示中のページの次に表示されるページのデータを記憶するための仮想ページを新たに確保した後、受信した画像データを記憶部２０８から読出して、新たに確保した仮想ページに書込む。その後、制御はステップ６２６に移行する。
【００８２】
なお、新たな仮想ページをＲＡＭ２０６に確保するとき、表示中のページと次のページとに対応する仮想ページの間に、物理的に連続する領域として確保する必要はない。物理的連続領域として確保されない場合、上記したように、ＲＡＭ２０６に確保された各仮想ページのデータが画像として表示される順序を特定する情報を、ＲＡＭ２０６の所定領域に記憶しておけばよい。
【００８３】
ステップ６２６において、ＣＰＵ２０２は、取込ボタン２４４の点滅表示を停止し、画像を貼付けたページを表示部２１０に表示する。このとき、ページ番号表示欄２６６の表示は、表示されたページに対応するページ番号に変更される。具体的には、ＣＰＵ２０２は、ステップ６０６で開始した点滅処理を中止し、ステップ６２０〜ステップ６２４が実行されて、受信された画像データが書込まれた仮想ページのデータをＶＲＡＭ領域に書込む。その後、制御はステップ６２８に移行し、上記した処理が実行される。
【００８４】
図６を参照して、ステップ６１６〜ステップ６２６の処理をより詳細に説明する。上記では、プレゼンテーションの開始と共に、ＲＡＭ２０６上に５ページ分の仮想ページが確保されるとしたが、ここでは説明を簡単にするために、３ページ分の仮想ページが確保されたとする。図６において、右向きの矢印（以下、単に矢印という）の両側には、ＲＡＭ２０６に確保された仮想ページ（全３ページ分の領域）を模式的に矩形で示している。各矩形領域（仮想ページ）には、表示部２１０にページとして表示される画像データを示している。各矢印の左側には、ステップ６１６〜ステップ６２６の処理が実行される直前の状態が表示されている。各矢印の右側には、ステップ６１６〜ステップ６２６の処理が実行された直後の状態が表示されている。白色の仮想ページは、空白ページを表し、斜線を付した仮想ページは、任意のページ（即ち、空白ページ又は非空白ページ）であることを表す。図形等が含まれている仮想ページは、非空白ページを表す。各仮想ページの上の数字（以下、ページ番号という）は、ページ送りボタン２６２が操作された場合に、各仮想ページが表示部２１０に表示される順序を表す。
【００８５】
ここでは、各矢印の左側において、ページ番号“２”が付された仮想ページが、表示部２１０に表示中のページに対応するとする。即ち、ページ番号“２”が付された仮想ページのデータが、ＶＲＡＭ領域に書込まれている状態で、ステップ６１６〜ステップ６２６が実行されるとする。
【００８６】
図６の（Ａ）の矢印の左側に示した状態では、表示中のページ（ページ番号“２”の仮想ページ）が空白ページであるので、ステップ６１６が実行されると、制御はステップ６２０に移行する。ステップ６２０が実行された結果、矢印の右側に示されているように、表示中の仮想ページに、受信した画像データ５００が書込まれた状態になる。その後、ステップ６２６が実行されると、ページ番号“２”が付された仮想ページが表示部２１０に表示される。
【００８７】
図６の（Ｂ）の矢印の左側に示した状態では、表示中の仮想ページ（ページ番号“２”）が空白ページではないので、ステップ６１６が実行されると、制御はステップ６１８に移行する。次の仮想ページ（ページ番号“３”）は空白ページであるので、ステップ６１８が実行されると、制御はステップ６２２に移行する。ステップ６２２が実行された結果、矢印の右側に示されているように、次の仮想ページ（ページ番号“３”）に、受信した画像データ５００が上書きされた状態になる。その後、ステップ６２６が実行されると、ページ番号“３”が付された仮想ページが表示部２１０に表示される。
【００８８】
図６の（Ｃ）の矢印の左側に示した状態では、表示中の仮想ページ（ページ番号“２”）が空白ページではないので、ステップ６１６が実行されると、制御はステップ６１８に移行する。次の仮想ページ（ページ番号“３”）も空白ページではないので、ステップ６１８が実行されると、制御はステップ６２４に移行する。ステップ６２４が実行された結果、矢印の右側に示されているように、表示中の仮想ページ（ページ番号“２”）と、次の仮想ページ（ページ番号“４”）との間に、新たに仮想ページ（ページ番号“３”）が確保され、その仮想ページに受信した画像データ５００が上書きされた状態になる。なお、新たに仮想ページが確保されたので、矢印の左側においてページ番号が“３”であった仮想ページのページ番号は、矢印の右側においては、“４”に変更されている。その後、ステップ６２６が実行されると、矢印の右側においてページ番号“３”が付されたページが表示部２１０に表示される。
【００８９】
以上によって、発表者がプレゼンテーション中に、画像表示装置２００が端末装置３００等の外部装置から画像データを受信した場合、取込ボタン２４４が点滅表示されるだけであるので、プレゼンテーションへの影響を最小限に抑えることができる。そして、取込ボタン２４４の点滅によって、画像表示装置２００に表示可能な画像データが受信されたことが分かるので、発表者は適宜所望のタイミングで、取込ボタン２４４にタッチして、受信した画像データを表示部２１０に表示することができる。受信画像が表示されるときには、表示中のページに重畳されることなく表示され、プレゼンテーションに使用されている画像データに影響することがない。また、表示中のページが空白ページであれば、その表示中のページに、受信した画像データを記憶し、表示中のページが空白ページでなければ、次のページに、受信した画像データを記憶するので、プレゼンテーションの進行に沿って、受信した画像データを追加することができる。
【００９０】
例えば、予め発表者が、プレゼンテーションに必要な情報（画像データ）が送信されることを知っていた場合、取込ボタン２４４が点滅すれば、発表者には必要な情報を受信したことが分かる。したがって、発表者は、プレゼンテーションの進行状況を考慮して、所望のタイミングで取込ボタン２４４にタッチし、受信した画像データを表示部２１０に表示することができる。一方、プレゼンテーションに関係する情報（画像データ）が送信されることが予定されていない場合には、発表者は受信された画像データはプレゼンテーションに無関係であるとして、取込ボタン２４４の点滅を無視し、取込ボタン２４４にタッチすることなく最後までプレゼンテーションを行なうことができる。
【００９１】
受信した画像データを表示部２１０に表示させるときに、プレゼンテーション等で使用されている一連の画像データを考慮して、受信した画像データをＲＡＭ２０６上でどのように取扱うかに関しては、種々の方法が考えられる。即ち、図５に示したフローチャートは、以下に示すように種々変更して実行することができる。
【００９２】
上記では、図５のステップ６１８において、表示中ページの次のページが空白ページであるか否かを判定したが、これに限定されない。例えば、図７に示すように、一連の画像データ中に空白ページがあるか否かを判定してもよい。図７のフローチャートにおいて、図５のフローチャートと同じ参照番号を付したステップの処理は図５と同じであるので、重複説明を繰返さない。図７が図５と異なるのは、ステップ６１８、ステップ６２２及びステップ６２４が、ステップ７００〜ステップ７０４で置換えられている点だけである。
【００９３】
ステップ６１６において、表示中ページが空白ページでないと判定された場合、ステップ７００において、ＣＰＵ２０２は、現在表示対象とされている一連の画像データ中に空白ページがあるか否かを判定する。具体的には、ＣＰＵ２０２は、ＲＡＭ２０６上に確保されている一連の仮想ページ中に、空白ページがあるか否かを判定する。空白ページがあると判定された場合、制御はステップ７０２に移行する。そうでなければ、制御はステップ７０４に移行する。
【００９４】
ステップ７０２において、ＣＰＵ２０２は、現在表示されているページに最も近い空白ページに、受信した画像データを貼付ける。具体的には、ＣＰＵ２０２は、受信した画像データを記憶部２０８から読出して、ＲＡＭ２０６上の、現在表示されているページに表示順序が最も近い空白ページの仮想ページに上書きする。その後、制御はステップ６２６に移行する。
【００９５】
ステップ７０４において、ＣＰＵ２０２は、ＲＡＭ２０６上の所定位置に新たにページを追加し、受信した画像データをその新たなページに貼付ける。具体的には、ＣＰＵ２０２は、ＲＡＭ２０６上に確保されている一連の仮想ページ以外に、新たな仮想ページを確保した後、受信した画像データを記憶部２０８から読出して、新たに確保した仮想ページに上書きする。その後、制御はステップ６２６に移行する。なお、新たな仮想ページを追加する位置は、予め適宜設定されていればよい。例えば、図５のステップ６２４と同様に、表示中ページの直後に新たな仮想ページを追加してもよい。また、表示中ページの直前に新たな仮想ページを追加しても、一連の仮想ページの最後に新たな仮想ページを追加してもよい。
【００９６】
これによっても、受信画像が表示されるときには、表示中のページに重畳されることなく表示され、プレゼンテーションに使用されている画像データに影響することがない。
【００９７】
また、図７は図８に示すように変更されてもよい。図８のフローチャートにおいて、図７のフローチャートと同じ参照番号を付したステップの処理は図７と同じであるので、重複説明を繰返さない。図８が図７と異なるのは、ステップ６１６とステップ７００が実行される順序が異なる点だけである。即ち、図８に示したプログラムでは、ステップ７００において、表示対象とされている一連の画像データ中に空白ページがあると判定された場合、制御はステップ６１６に移行する。ステップ７００において、表示対象とされている一連の画像データ中に空白ページがないと判定された場合、制御はステップ７０４に移行する。ステップ６１６において、表示中のページが空白ページであると判定された場合、制御はステップ６２０に移行する。そうでなければ、制御はステップ７０２に移行する。
【００９８】
また、図９に示すように、受信した画像データを貼付ける位置を決定してもよい。図９のフローチャートにおいて、図５のフローチャートと同じ参照番号を付したステップの処理は図５と同じであるので、重複説明を繰返さない。図９が図５と異なるのは、ステップ６１６、ステップ６１８、ステップ６２２及びステップ６２４が、ステップ７２０〜ステップ７２６で置換えられている点だけである。
【００９９】
ステップ６１４において、フラグが“１”であると判定された場合、ステップ７２０において、ＣＰＵ２０２は、表示対象とされている一連のページが全て空白ページであるか否かを判定する。全ページが空白ページであると判定された場合、制御はステップ６２０に移行し、受信画像データが表示中のページに貼付けられる（ＲＡＭ２０６の該当する仮想ページに受信画像データが書込まれる）。そうでなければ、制御はステップ７２２に移行する。
【０１００】
ステップ７２２において、ＣＰＵ２０２は、非空白ページのうち、表示順序が最後の非空白ページの次に空白ページがあるか否かを判定する。空白ページがあると判定された場合、制御はステップ７２４に移行する。そうでなければ、制御はステップ７２６に移行する。
【０１０１】
ステップ７２４において、ＣＰＵ２０２は、最後の非空白ページの次のページ（空白ページ）に、受信画像データを貼付ける。
【０１０２】
ステップ７２６において、ＣＰＵ２０２は、最後の非空白ページの次に新たにページを追加し、受信画像データを貼付ける。具体的には、ＲＡＭ２０６上の該当位置に新たに仮想ページを確保し、受信画像データを書込む。その後、制御はステップ６２６に移行する。
【０１０３】
これによっても、受信画像が表示されるときには、表示中のページに重畳されることなく表示され、プレゼンテーションに使用されている画像データに影響することがない。
【０１０４】
図１０〜図１２を参照して、図９のステップ７２０〜ステップ７２６及びステップ６２０の処理をより詳細に説明する。図１０〜図１２において、下向きの矢印（以下、単に矢印という）の上下には、ＲＡＭ２０６に確保された仮想ページ（全５ページ分の領域）を模式的に示している。各仮想ページは、１ページとして表示される画像データを表す。各矢印の上側には、ステップ６２０、ステップ７２４、又はステップ７２６の処理が実行される直前の状態が表示されている。各矢印の下側には、ステップ６２０、ステップ７２４、又はステップ７２６の処理が実行された直後の状態が表示されている。白色の仮想ページ、斜線を付した仮想ページ、及び、図形等が含まれている仮想ページの意味は、図６と同じである。各仮想ページの上の数字の意味も図６と同じである。ここでは、図６と同様に、各矢印の上側において、ページ番号“２”が付された仮想ページが、表示部２１０に表示中のページに対応するとする。
【０１０５】
図１０の矢印の上側に示した状態は、表示対象の５ページが全て空白ページであるので、ステップ７２０が実行されると、制御はステップ６２０に移行する。ステップ６２０が実行された結果、矢印の下側に示されているように、表示中の仮想ページ（ページ番号“２”）に、受信した画像データ５００が書込まれた状態になる。その後、ステップ６２６が実行されると、ページ番号“２”が付された仮想ページに対応するページが表示部２１０に表示される。
【０１０６】
図１１の矢印の上側に示した状態は、表示対象の５ページ中に非空白ページ（ページ番号“２”及び“４”）が含まれているので、ステップ７２０が実行されると、制御はステップ７２２に移行する。最後の非空白ページに対応する仮想ページ（ページ番号“４”）の次の仮想ページ（ページ番号“５”）が空白ページであるので、ステップ７２２が実行されると、制御はステップ７２４に移行する。ステップ７２４が実行された結果、矢印の下側に示されているように、最後の非空白ページの次の仮想ページ（ページ番号“５”）に、受信した画像データ５００が書込まれた状態になる。その後、ステップ６２６が実行されると、ページ番号“５”が付された仮想ページに対応するページが表示部２１０に表示される。
【０１０７】
図１２の矢印の上側に示した状態は、表示対象の５ページ中に非空白ページ（ページ番号“２”及び“５”）が含まれているので、ステップ７２０が実行されると、制御はステップ７２２に移行する。最後の非空白ページに対応する仮想ページ（ページ番号“５”）の次には空白ページがないので、ステップ７２２が実行されると、制御はステップ７２６に移行する。ステップ７２６が実行された結果、矢印の下側に示されているように、最後の非空白ページに対応する仮想ページの次に新たに仮想ページ（ページ番号“６”）が追加され、受信した画像データ５００が、追加された仮想ページに書込まれた状態になる。その後、ステップ６２６が実行されると、ページ番号“６”が付されたページが表示部２１０に表示される。
【０１０８】
このように、会議及びプレゼンテーション等で使用される全てのデータの後ろに仮想ページを追加して、受信データを記憶することにより、プレゼンテーションの後に受信データだけを確認することが容易になる。特に、複数の画像データを受信した場合には、最後にまとめて記憶することができるので、受信データの確認がより容易になる。また、会議及びプレゼンテーション等で使用される全てのデータの後ろに空白ページがあれば、仮想ページを追加せずに、その空白ページに受信データを記憶する（図１１）ので、メモリを効率的に使用することができる。
【０１０９】
さらに、図９は図１３に示すように変更されてもよい。図１３のフローチャートにおいて、図９のフローチャートと同じ参照番号を付したステップの処理は図９と同じであるので、重複説明を繰返さない。図１３が図９と異なるのは、図１３では、ステップ７２２の前にステップ７３０が追加されている点だけである。
【０１１０】
図１３に示したプログラムでは、表示対象の一連のページに非空白ページがあれば、新たにページを追加する処理が優先される。
【０１１１】
ステップ７２０において、表示対象の一連のページに非空白ページがあると判定された場合、ステップ７３０において、ＣＰＵ２０２は、新たな仮想ページの追加を優先するように設定されているか否かを判定する。新たな仮想ページの追加を優先するか否かの設定は、予め設定されており、例えば、画像表示装置２００が起動されたときに初期設定として、記憶部２０８から所定のフラグ（以下、優先フラグという）が読出されて、ＲＡＭ２０６の所定領域に記憶される。ＣＰＵ２０２は、ＲＡＭ２０６の所定領域に記憶された優先フラグの値によって、新たな仮想ページの追加を優先するように設定されているか否かを判定する。例えば、優先フラグが“１”であれば、新たな仮想ページの追加を優先するように設定されていると判定され、優先フラグが“０”であれば、新たな仮想ページの追加を優先するように設定されていないと判定される。新たな仮想ページの追加を優先するように設定されていると判定された場合、制御はステップ７２６に移行する。そうでなければ、制御はステップ７２２に移行する。
【０１１２】
したがって、新たな仮想ページの追加を優先するように設定されていれば（優先フラグが“１”）、最後の非空白ページの次に空白ページがあるか否かを判定することなく、ステップ７２６が実行される。新たな仮想ページの追加を優先するように設定されていない場合（優先フラグが“０”）にのみ、ステップ７２２において、最後の非空白ページの次に空白ページがあるか否かを判定し、その結果に応じて、ステップ７２４又はステップ７２６が実行される。
【０１１３】
図１４を参照して、ステップ７３０の処理をより詳細に説明する。図１４は、図１０〜１２と同様の図である。下向きの矢印（以下、単に矢印という）の上下に配置された複数の仮想ページ、及び、各仮想ページの上の数字の意味は、図１０〜図１２と同じである。ここでは、各矢印の上側において、ページ番号“２”が付された仮想ページが、表示部２１０に表示中のページに対応するとする。
【０１１４】
図１４の矢印の上側に示した状態では、図１１の矢印の上側に示した状態と同じであるが、図１４のプログラムが実行された結果（図１４の矢印の下側に示した状態）は、新たな仮想ページの追加を優先するように設定されているか否か（優先フラグが“１”であるか否か）に依存する。図１４の矢印の上側に示した状態は、表示対象の５ページ中に非空白ページ（ページ番号“２”及び“４”）が含まれているので、ステップ７２０が実行されると、制御はステップ７３０に移行する。新たな仮想ページの追加を優先するように設定されていれば（優先フラグが“１”）、ステップ７３０が実行された結果、制御はステップ７２６に移行する。したがって、矢印の下側に示されているように、最後の非空白ページ（ページ番号“４”）に対応する仮想ページの次に新たに仮想ページ（ページ番号“５”）が追加され、受信した画像データ５００が、追加された仮想ページに書込まれた状態になる。その後、ステップ６２６が実行されると、ページ番号“５”が付されたページが表示部２１０に表示される。
【０１１５】
一方、新たな仮想ページの追加を優先するように設定されていなければ（優先フラグが“０”）、ステップ７２２が実行される。最後の非空白ページに対応する仮想ページ（ページ番号“４”）の次の仮想ページ（ページ番号“５”）が空白ページであるので、ステップ７２２が実行されると、制御はステップ７２４に移行する。ステップ７２４が実行された結果、図１１の矢印の下側に示されたように、最後の非空白ページの次の仮想ページに、受信した画像データ５００が書込まれた状態になる。
【０１１６】
受信した画像データを貼付ける位置を決定する方法は上記以外にも種々考えられる。何れの方法であっても、図１５に示すように、表示対象となっている一連の仮想ページに、非空白ページがあれば、検出された非空白ページ以外の領域に受信した画像データ５００を書込めばよい。即ち、空白ページがあれば、空白ページに対応する既存の仮想ページ（ページ番号“ｎ”）に、受信した画像データ５００を書込む（図１５の（Ａ）参照）、又は、空白ページがあるか否かにかかわらず、新たに仮想ページ（ページ番号“ｍ”、ｍ≠ｎ）を追加して、受信した画像データを書込む（図１５の（Ｂ）参照）。なお、図１５においては、表示されているページ番号“ｎ”及び“ｍ”の仮想ページ以外の仮想ページがあってもよい。
【０１１７】
上記では、画像表示装置２００が受信した画像ファイルが１つの画像データを含む場合を説明したが、これに限定されない。画像表示装置２００が、それぞれが１つの画像データを含む複数（Ｎ）の画像ファイルを受信した場合、又は、画像表示装置２００が受信した１つの画像ファイルに複数（Ｎ）の画像データが含まれている場合にも、受信した画像データを上記と同様に、ＲＡＭ２０６の仮想ページに記憶することができる。即ち、ＲＡＭ２０６上で、Ｎの空白ページに対応する仮想ページを検出して、受信した画像データを記憶すればよい。ＲＡＭ２０６上でＮの空白ページに対応する仮想ページを検出できなかった場合には、必要な数の仮想ページを新たに確保して、受信した画像データを記憶すればよい。具体的には、Ｎの画像データを受信した場合、それぞれの画像データを対象として、上記した一連の処理（図５等）を繰返し実行すればよい。一連の処理が実行される毎に、受信した画像が表示部２１０に表示される。受信した全ての画像データが処理されたときには、最後に処理された画像データが表示部２１０に画像として表示された状態となる。
【０１１８】
上記のように画像表示装置２００が、一度に多数の画像データを受信した場合、取込ボタン２４４が押されたときに１ページ毎、順に表示されるので、時間がかかり煩雑である。１ページに複数の画像を集約して表示できれば好ましい。例えば、ユーザが端末装置３００から画像データを画像表示装置２００に送信するときに、表示モードを指定して画像データを送信し、画像表示装置２００は、受信した表示モードにしたがって、受信した画像データを表示できれば好ましい。
【０１１９】
具体的には、端末装置３００において、ＣＰＵ３０２は、ユーザによる指示を受けて、電子メールを送信するためのアプリケーションプログラムを実行し、添付する画像ファイルの指定を受付ける。その後、送信の指示を受けたときに、ＣＰＵ３０２は、表示部３１０に、図１６に示すような画面８００を表示する。画面８００は、送信する画像データが送信先（画像表示装置２００）で表示されるモードを指定するための画面である。画面８００には、「通常モード」ボタン、「集約モード」ボタン、「送信」ボタン、及び「キャンセル」ボタンが表示されている。通常モードボタンは、１つの画像データを１ページに表示するモードを指示するためのボタンであり、集約モードボタンは、複数の画像データを１ページに表示するモードを指定するためのボタンである。送信ボタンは、電子メールの送信を指示するためのボタンである。キャンセルボタンは、電子メールの送信を中止することを指示するためのボタンである。
【０１２０】
端末装置３００において、表示部３１０及び操作部３１４がタッチパネルディスプレイを構成している場合、ユーザは、通常モードボタン又は集約モードボタンにタッチすることにより、何れかを選択することができる（ＣＰＵ３０２は、何れのモードが選択されたかを検知できる）。選択されたボタンは、選択状態が分かるように、例えば輝度が反転されて表示される。通常モードが選択されている状態で、ユーザが送信ボタンにタッチすると、ＣＰＵ３０２は、指定された画像データを添付した電子メールを画像表示装置２００に送信する。一方、集約モードが選択されている状態で、ユーザが送信ボタンにタッチすると、ＣＰＵ３０２は、集約条件（１ページに表示する画像の枚数、及び１ページ内の画像の配置等）を設定するための画面を表示する。ユーザによって、集約条件が設定された後、ＣＰＵ３０２は、指定された画像データ及び集約条件を添付した電子メールを画像表示装置２００に送信する。
【０１２１】
画像表示装置２００は、例えば図１７に示したプログラムを実行する。図１７のフローチャートにおいて、図５のフローチャートと同じ参照番号を付したステップの処理は図５と同じであるので、重複説明を繰返さない。図１７が図５と異なるのは、図５のステップ６２０〜６２４がステップ７４０〜７４４に置換えられている点だけである。
【０１２２】
即ち、ステップ７４０において、ＣＰＵ２０２は、ステップ６００で受信したデータに集約条件が含まれていなければ、受信した画像を、表示中のページ（空白ページ）に貼付ける（受信した画像データを、ＲＡＭ２０６の対応する仮想ページに記憶する）。このとき、複数の画像データを受信していれば、例えば必要な仮想ページをＲＡＭ２０６上に作成して、残りの画像データを記憶する。一方、受信したデータに集約条件が含まれていれば、ＣＰＵ２０２は、受信した複数の画像を、受信した集約条件にしたがって、表示中のページに貼付ける。表示中のページに、受信した画像を全て貼付けできない場合には、必要な仮想ページを追加して、残りの画像データを同様に集約して記憶する。
【０１２３】
ステップ７４２の処理は、表示中のページに貼付ける代わりに、表示中のページの次のページに貼付ける点がステップ７４０と異なるだけで、処理内容はステップ７４０と同様である。
【０１２４】
ステップ７４４において、ＣＰＵ２０２は、受信したデータに集約条件が含まれていなければ、表示中のページの次に、受信した画像の数と同じ数のページを新たに追加（仮想ページをＲＡＭ２０６に作成）して、受信した画像を張付ける。受信したデータに集約条件が含まれていれば、ＣＰＵ２０２は、受信した複数の画像を、受信した集約条件にしたがって、表示中のページの次に、新たにページを追加して貼付ける。このとき、追加されるページは、集約条件によって決まる。即ち、集約条件にしたがって、受信した画像全てを貼付けることができる数のページを追加する。
【０１２５】
このように、ステップ７４０、ステップ７４２、又はステップ７４４が実行された後、ステップ６２６が実行されると、例えば、図１８に示すように受信した画像が表示される。図１８では、画像表示装置２００が受信した画像データに基づいて表示される４枚の画像のみを示している。集約条件が含まれていなければ、図１８の（Ａ）に示すように４ページにわたって表示される。一方、集約条件が含まれており、集約条件が「４ｉｎ１」（４枚の画像を１ページに集約して表示する条件）であれば、図１８の（Ｂ）に示すように１ページにまとめて表示される。
【０１２６】
以上によって、送信する画像枚数が多く、且つ縮小表示されても問題ないと送信者が考えた場合、画像表示装置２００において集約されて表示されるので、ページを戻す等の煩雑な操作が不要であり、効率的である。
【０１２７】
なお、画像表示装置２００は、集約条件を受信しなかった場合でも、所定の集約条件にしたがって受信した画像データを表示してもよい。
【０１２８】
また、画像表示装置２００に受信した複数の画像を集約して表示する形態は、「４ｉｎ１」の集約に限定されず、それ以外の集約であってもよい。また、集約以外の表示形態であってもよい。画像表示装置２００における受信画像の表示形態を特定する条件が、端末装置から画像データと共に、画像表示装置２００に送信されればよい。
【０１２９】
上記では、受信した全ての画像データが処理されたときには、最後に処理された画像データが表示部２１０に画像として表示された状態となるが、最後に処理された画像データが表示部２１０に画像として表示された後、最初に処理した画像データを画像として表示してもよい。そのためには、ＣＰＵ２０２は、受信した画像データの数Ｎ（例えばファイル数Ｎ）をＲＡＭ２０６に記憶しておけばよい。全ての画像データが処理された段階で、ＣＰＵ２０２は、そのとき表示されているページ番号（ページ欄２６６の値）から、画像データの数Ｎよりも１小さい数、即ちＮ−１を減算して得られた値をページ番号とする画像を表示する。これによって、受信した先頭の画像が表示される。例えば、図１８の（Ａ）において、４つの画像データが全て処理されると、一旦右端の画像が表示された状態になり、その直後に左端の画像が表示される。
【０１３０】
なお、ＣＰＵ２０２は、受信した先頭の画像データを処理したときに、対応するページ番号をＲＡＭ２０６に記憶しておき、全ての画像データを処理した段階で、ＲＡＭ２０６に記憶したページ番号に対応する画像（先頭の画像データ）を表示してもよい。このようにすれば、最初から見たい場合に、ページ戻しボタン２６４を操作することが不要である。
【０１３１】
また、受信した全ての画像データが処理されたときに（最後に処理された画像データが表示部２１０に画像として表示された状態）、ページを戻すボタンを表示してもよい。例えば、図１８の（Ａ）に示したように、左端の画像から順に表示され、最後に右端の画像が表示されたときに、ＣＰＵ２０２は、図１９のように画面に、ページ操作領域２６０のボタンとは別に、ページを戻すための矢印ボタン８１０を表示する。なお、ＣＰＵ２０２は、受信した画像データのうち先頭の画像データを特定できるように、上記と同様に、受信した画像データの数、又は、受信した先頭の画像データを処理したときに、対応するページ番号をＲＡＭ２０６に記憶しておく。矢印ボタン８１０がタッチされると、ＣＰＵ２０２は、上記と同様にして、受信した先頭の画像を表示することができる。このようにすれば、最初から見たい場合、矢印ボタン８１０にタッチするだけでよく、何度もページ戻しボタン２６４にタッチする煩雑な操作が不要である。
【０１３２】
また、画像データ形式のファイルに限らず、画像表示装置２００がページ単位で表示することができるアプリケーション（ＭＳ−ＰｏｗｅｒＰｏｉｎｔ、ＭＳ−Ｗｏｒｄ、又はＡｃｒｏｂａｔ等）で作成されたファイル（拡張子が、ｐｐｔ、ｐｐｔｘ、ｄｏｃ、ｄｏｃｘ、又はｐｄｆ等）を受信した場合にも、同様に処理することができる。その場合、画像表示装置２００は、受信したファィルのデータに基づいてページ単位の画像データ（描画領域２５０に表示される画像データ）を生成して、ＲＡＭ２０６の仮想ページに書込めばよい。その後の処理は、ＲＡＭ２０６上で画像データを扱う処理であるので、上記と同様に処理することができる。
【０１３３】
上記では、画像表示装置２００が画像データを受信したときに、表示部２１０に表示された取込ボタン２４４が点滅する場合を説明したが、これに限定されない。画像表示装置２００が画像データを受信したことを、表示部２１０に表示できればよい。例えば、取込ボタン２４４の色が変化してもよく、取込ボタン２４４のデザインが変化してもよい。また、取込ボタン２４４とは別の、表示部２１０に表示されているアイコンが点滅表示しても、表示部２１０に表示されていなかったアイコンが新たに表示（点滅しても、点滅しなくてもよい）されてもよい。
【０１３４】
上記では、端末装置３００から画像表示装置２００に画像データが送信される場合を説明したがこれに限定されない。例えば、図２０に示したように、ネットワーク４１０に画像形成装置４２０が接続されていてもよい。例えば、画像形成装置４２０が、スキャナを備え、原稿をスキャンして生成された画像データを、電子メールに添付して送信する機能を有する場合、画像形成装置４２０から送信された画像データを画像表示装置２００が受信した場合、上記と同様の処理を実行することができる。即ち、ＣＰＵ２０２は、取込ボタン２４４を点滅させ、取込ボタン２４４が操作されると、受信した画像データをＲＡＭ２０６の仮想ページに書込み、表示部２１０に表示する。
【０１３５】
上記では、画像表示装置２００が電子黒板装置である場合を説明したが、これに限定されない。画像表示装置２００は、プロジェクタ装置であってもよく、複数のディスプレイを配列して大画面を形成したマルチディスプレイ装置であってもよい。
【０１３６】
上記では、画像データが、電子メールの添付ファイルとして画像表示装置２００に送信される場合を説明したが、これに限定されない。電子メール以外の方法で、端末装置３００又は画像形成装置４２０等からネットワーク４１０を介して、画像表示装置２００に画像データ（ファイル）を送信してもよい。例えば、画像表示装置２００が、ＦＴＰ又はＨＴＴＰサービスの機能を有していれば、端末装置３００又は画像形成装置４２０は、画像表示装置２００に画像ファイルを、直接（電子メールに添付せずに）送信することができる。その場合にも、画像表示装置２００が画像データを受信すれば、上記と同様に処理することができる。
【０１３７】
以上、実施の形態を説明することにより本発明を説明したが、上記した実施の形態は例示であって、本発明は上記した実施の形態に限定されるものではなく、種々変更して実施することができる。
【符号の説明】
【０１３８】
１００    画像表示システム
２００    画像表示装置
２０２    ＣＰＵ
２０４    ＲＯＭ
２０６    ＲＡＭ
２０８    記憶部
２１０    表示部
２１２    表示制御部
２１４    操作部
２１６    通信ＩＦ部
２２０    バス
３００    端末装置
４００    無線ルータ
４１０    通信ネットワーク
４２０    画像形成装置
【図１】
2014029474.tif 000003
【図２】
2014029474.tif 000004
【図３】
2014029474.tif 000005
【図４】
2014029474.tif 000006
【図５】
2014029474.tif 000007
【図６】
2014029474.tif 000008
【図７】
2014029474.tif 000009
【図８】
2014029474.tif 000010
【図９】
2014029474.tif 000011
【図１０】
2014029474.tif 000012
【図１１】
2014029474.tif 000013
【図１２】
2014029474.tif 000014
【図１３】
2014029474.tif 000015
【図１４】
2014029474.tif 000016
【図１５】
2014029474.tif 000017
【図１６】
2014029474.tif 000018
【図１７】
2014029474.tif 000019
【図１８】
2014029474.tif 000020
【図１９】
2014029474.tif 000021
【図２０】
2014029474.tif 000022